(57)【要約】【課題】二段ベッド及びツインベッドとして使用できるシステムベッドにおいて、ツインベッドとして使用する場合に、両ベッドの床部に布団又はマットレスを載せたときに隣り合う布団又はマットレスの間に大きな隙間が生じないようにする。【解決手段】二段ベッド及びツインベッドとし使用できるシステムベッドであって、頭側と足側に対向して配置されるボード(1,1a)と、ボード(1,1a)を両側で連結するサイドフレーム(14)と、ボード(1,1a)とサイドフレーム(14)に囲まれた部分に設置される床部材(16)と、縁部分が床部材の外縁から張り出してサイドフレーム(14)の外面又は略外面に至るまで延び、床部材(16)の上に載せ置かれたときに縁部分がサイドフレーム(14)の上面に載せ置かれる布団又はマットレス(17)とを含み、二台のベッド(B3)を並べて密接したときに、少なくとも隣接する布団又はマットレス(17)の間に隙間が形成されないか又は殆ど形成されないようにした。【選択図】図５
2013013568.tif 000002
【特許請求の範囲】
【請求項１】
二台のベッドの組み合わせからなり、二台のベッドを並べるツインベッドとしての使用と、二台のベッドを上下二段に配置する二段ベッドとしての使用と、を兼ね備えているシステムベッドであって、
頭側と足側に対向して配置されるボードと、
これらのボードを両側で連結するサイドフレームと、
前記ボードとサイドフレームに囲まれた部分に設置される床部材と、
縁部分が床部材の外縁から張り出して前記サイドフレームの外面又は略外面に至るまで延び、床部材の上に載せ置かれたときに前記縁部分が前記サイドフレームの上面に載せ置かれる布団又はマットレスと、
を含み、
二台のベッドを並べて密接したときに、少なくとも隣接する布団又はマットレスの間に隙間が形成されないか又は殆ど形成されない、
システムベッド。
【請求項２】
外面がサイドフレームの外面から張り出し、内面がサイドフレームの外面と同一平面又は略同一平面上に位置し、連結具を介して前記サイドフレームの上面に取り付けられる手摺りを備える、
請求項１記載のシステムベッド。
【請求項３】
二台のベッドの組み合わせからなり、同型のベッド二台を並べて一対とするツインベッドとしての使用と、二台のベッドを上下二段に配置する二段ベッドとしての使用と、を兼ね備えているシステムベッドであって、
頭側と足側に選択的に配置される、高い高さの第１のボード及び該第１のボードより低い高さの第２のボードと、
頭側と足側に対向して配置される前記ボードを両側で連結し、外面が連結する前記ボードの外面と同一平面又は略同一平面上に位置するサイドフレームと、
内面が前記サイドフレームの外面と同一平面又は略同一平面上に位置し、連結具を介して前記サイドフレームの上面に取り付けられる手摺りと、
頭側と足側に対向して配置される前記ボード、及び前記両側のサイドフレームで形成される枠内に設置される床部材と、
縁部分が前記床部材から張り出して前記サイドフレームの外面又は略外面に至るまで延び、前記床部材の上面と前記サイドフレームの上面に載せ置かれる布団又はマットレスと、
を備え、
ツインベッドとしての使用においては、
密接して並置される二台のベッドは、それぞれ、
前記第１のボードは頭側に配置し、前記第２のボードは足側に配置し、
前記第１のボードと第２のボードは、両側に配置した前記サイドフレームで連結し、
前記布団又はマットレスは、床部材の上面とサイドフレームの上面に載置して同型に構成され、
該二台のベッド同士が接する、第１のボード、第２のボード、サイドフレーム及び布団又はマットレスの面は密接して、隙間が形成されないか又は隙間は殆ど形成されず、
二段ベッドとしての使用においては、
下段側ベッドは、
頭側と足側には、前記第１のボードを対向して配置し、
対向する第１のボードは、両側に配置したサイドフレームで連結し、
該サイドフレームの上面には、連結具を介して前記手摺りが取り付けられ、
前記布団又はマットレスは、床部材の上面とサイドフレームの上面に載置し、
上段側ベッドは、
頭側と足側には、前記第２のボードを対向して配置し、
対向する第２のボードは、両側に配置したサイドフレームで連結し、
該サイドフレームの上面には、連結具を介して前記手摺りが取り付けられ、
前記布団又はマットレスは、床部材の上面とサイドフレームの上面に載置し、
下段側ベッドの上に上段側ベッドは載せ置かれる、
システムベッド。
【発明の詳細な説明】
【技術分野】
【０００１】
本発明は、システムベッドに関するものである。更に詳しくは、二台のベッドを上下に接続した二段ベッドとして、又は二台のベッドを横に並べてツインベッドとして使用することができるシステムベッドであって、ツインベッドとして使用する場合に、両ベッドに載せた布団やマットレスの間に大きな隙間が生じないようにし、使用時において隙間を埋める必要がないようにしたものに関する。
【背景技術】
【０００２】
部屋のスペースを有効に利用するために、二台のベッドを単体で並べるよりベッドの設置スペースが小さくて済む二段ベッドが広く使用されている。しかし、例えば特許文献１に記載されているような従来の二段ベッドは、上段側のベッドに上がるために梯子で登る必要があるなど、小さい子どもにとっては使いにくいところもある（特許文献１の図１、図７参照）。
【０００３】
このため、使用者によっては、子どもが小さいうちは、二段ベッドを構成している二台のベッドを分離して、配置を変えるなどしてそれぞれをシングルベッドとして使用することがあった（特許文献１の図４、図９参照）。
また、例えばベッド両側の手摺りを取り外すことができるようにしたベッドを有するものでは、手摺りを取り外した状態で二台のベッドを横に並べて幅が広いツインベッドとして使用する場合もあった。
【先行技術文献】
【特許文献】
【０００４】
【特許文献１】特開２００９−２９７３８１号公報
【発明の概要】
【発明が解決しようとする課題】
【０００５】
しかしながら、前記従来の二段ベッドには、次のような課題があった。
前記のように、ベッド両側の手摺りを取り外すことができるようにしたベッドを使用して、手摺りを取り外した状態で二台のベッドを横に並べてツインベッドとして使用する場合、ベッドの幅方向両側の支脚を互いに密着させるようにしても、両ベッドの間に比較的大きな隙間が生じてしまう。
【０００６】
つまり、従来の二段ベッドのベッドでは、支脚の間に渡してあるサイドフレームとその上に配してある手摺りは、それぞれのベッド幅方向の外端面が各支脚の外端面より内側にあり（特許文献１の図１、図３参照）、手摺りを取り外してベッドを並べて支脚を互いに密着させるようにしても、隣り合うサイドフレームの間に隙間が生じる。
【０００７】
また、ベッドは、簀の子などを装着した床部にマットレスを載せて使用する場合もあるが、この場合、マットレスは、ベッドの幅方向両端の内側に収めるために、ベッドの幅方向両端の手摺りの内端面の間隔と同じかやや狭い幅のものを使用する必要がある。
このため、前記と同様に手摺りを取り外した状態で二台のベッドを並べて支脚を互いに密着させたときに、隣り合うマットレスの間には、前記サイドフレームの間の隙間と同様に隙間が空いてしまう。
【０００８】
したがって、二台のベッドを横に並べるようにし、例えば両親の間に子どもを一緒に寝かせるような使用形態では、前記したような隣り合うサイドフレームの間の隙間又は隣り合うマットレスの間の大きな隙間を何らかの手段で埋める必要があった。
【０００９】
（本発明の目的）
本発明は、二台のベッドを上下に接続した二段ベッドとして、又は二台のベッドを横に並べてツインベッドとして使用することができるシステムベッドにおいて、ツインベッドとして使用する場合に、両ベッドの床部に布団又はマットレスを載せたときに、隣り合う布団又はマットレスの間に大きな隙間が生じないようにして、使用時において隙間を埋める必要がないようにしたシステムベッドを提供することを目的とする。
【課題を解決するための手段】
【００１０】
上記課題を解決するために本発明が講じた手段は次のとおりである。
（１）本発明は、
二台のベッドの組み合わせからなり、二台のベッドを並べるツインベッドとしての使用と、二台のベッドを上下二段に配置する二段ベッドとしての使用と、を兼ね備えているシステムベッドであって、
頭側と足側に対向して配置されるボードと、
これらのボードを両側で連結するサイドフレームと、
前記ボードとサイドフレームに囲まれた部分に設置される床部材と、
縁部分が床部材の外縁から張り出して前記サイドフレームの外面又は略外面に至るまで延び、床部材の上に載せ置かれたときに前記縁部分が前記サイドフレームの上面に載せ置かれる布団又はマットレスと、
を含み、
二台のベッドを並べて密接したときに、少なくとも隣接する布団又はマットレスの間に隙間が形成されないか又は殆ど形成されない、
システムベッドである。
【００１１】
（２）本発明は、
外面がサイドフレームの外面から張り出し、内面がサイドフレームの外面と同一平面又は略同一平面上に位置し、連結具を介して前記サイドフレームの上面に取り付けられる手摺りを備える、
前記（１）のシステムベッドである。
【００１２】
（３）本発明は、
二台のベッドの組み合わせからなり、同型のベッド二台を並べて一対とするツインベッドとしての使用と、二台のベッドを上下二段に配置する二段ベッドとしての使用と、を兼ね備えているシステムベッドであって、
頭側と足側に選択的に配置される、高い高さの第１のボード及び該第１のボードより低い高さの第２のボードと、
頭側と足側に対向して配置される前記ボードを両側で連結し、外面が連結する前記ボードの外面と同一平面又は略同一平面上に位置するサイドフレームと、
内面が前記サイドフレームの外面と同一平面又は略同一平面上に位置し、連結具を介して前記サイドフレームの上面に取り付けられる手摺りと、
頭側と足側に対向して配置される前記ボード、及び前記両側のサイドフレームで形成される枠内に設置される床部材と、
縁部分が前記床部材から張り出して前記サイドフレームの外面又は略外面に至るまで延び、前記床部材の上面と前記サイドフレームの上面に載せ置かれる布団又はマットレスと、
を備え、
ツインベッドとしての使用においては、
密接して並置される二台のベッドは、それぞれ、
前記第１のボードは頭側に配置し、前記第２のボードは足側に配置し、
前記第１のボードと第２のボードは、両側に配置した前記サイドフレームで連結し、
前記布団又はマットレスは、床部材の上面とサイドフレームの上面に載置して同型に構成され、
該二台のベッド同士が接する、第１のボード、第２のボード、サイドフレーム及び布団又はマットレスの面は密接して、隙間が形成されないか又は隙間は殆ど形成されず、
二段ベッドとしての使用においては、
下段側ベッドは、
頭側と足側には、前記第１のボードを対向して配置し、
対向する第１のボードは、両側に配置したサイドフレームで連結し、
該サイドフレームの上面には、連結具を介して前記手摺りが取り付けられ、
前記布団又はマットレスは、床部材の上面とサイドフレームの上面に載置し、
上段側ベッドは、
頭側と足側には、前記第２のボードを対向して配置し、
対向する第２のボードは、両側に配置したサイドフレームで連結し、
該サイドフレームの上面には、連結具を介して前記手摺りが取り付けられ、
前記布団又はマットレスは、床部材の上面とサイドフレームの上面に載置し、
下段側ベッドの上に上段側ベッドは載せ置かれる、
システムベッドである。
【００１３】
システムベッドを構成するベッドのサイズは、特に限定するものではなく、シングルベッドの他、例えばセミダブルベッドやダブルベッド等でもよい。
本明細書及び特許請求の範囲にいう「ツインベッド」とは、シングルベッドを横方向に接触するかほぼ接触するように並べて使用する形態の意味を含むものである。
【００１４】
また、本明細書及び特許請求の範囲にいう「布団又はマットレス」とは、いわゆる褥（しとね：寝る時に下に敷く物）の意味を含み、褥に含まれるものであれば、他のものを採用することもできる。
また、第１、第２などの言葉は、等級や重要度を意味するものではなく、一つの要素を他の要素から区別するために使用したものである。
【００１５】
（作用）
本発明に係るシステムベッドの作用を説明する。
本発明のシステムベッドによれば、ツインベッドとして使用するときに、布団又はマットレスの間に大きな隙間が生じない。これにより、布団又はマットレスの間の隙間を埋める必要がなく、そのままでキングサイズのベッドのような大きく広いベッドとして使用することができる。したがって、例えば子どもがまだ小さいときなどに両親の間に子どもを一緒に寝かせるような使用形態においても、支障なく使用することができる。
【００１６】
両ベッドを二段ベッドとして使用するときに、上段側に配されるベッドに二台の高さの低い第２のボードを使用するようにし、下段側に配されるベッドに二台の高さの高い第１のボードを使用するようにしたものは、上下に位置する両ベッドの床部材の間を所要の十分な間隔で空けることができるので、特に下段側のベッドを使用する使用者は十分な空間が利用できるため、使いやすい。
【発明の効果】
【００１７】
本発明は、二台のベッドを上下に接続した二段ベッドとして、又は二台のベッドを横に並べてツインベッドとして使用することができるシステムベッドにおいて、ツインベッドとして使用する場合に、両ベッドの床部に布団又はマットレスを載せたときに、隣り合う布団又はマットレスの間に大きな隙間が生じないようにすることができるので、使用時において布団又はマットレスの間の隙間を埋める必要がないようにしたシステムベッドを提供することができる。
【図面の簡単な説明】
【００１８】
【図１】本発明に係るベッドの一実施の形態を示し、二段ベッドとした状態の斜視図。
【図２】図１におけるＰ１部分の拡大断面説明図。
【図３】ツインベッドとしマットレスを載せていない状態の斜視図。
【図４】ツインベッドとしマットレスを載せている状態の斜視図。
【図５】図４におけるＰ２部分の拡大断面説明図。
【発明を実施するための形態】
【００１９】
〔実施の形態〕
本発明を図面に示した実施の形態に基づき詳細に説明する。
図１乃至図５を参照する。なお、図１では、上段側に配されたベッドと床の間に掛けられる梯子の図示を省略している。
【００２０】
<二段ベッドとしての仕様>
図１及び図２に示すように、二段ベッドに組まれたシステムベッドＡは、二台の木製のベッドＢ１、Ｂ２で構成されている。ベッドＢ１、Ｂ２は、後述する支脚１０、１１の上下端部にピン孔を設け、接続部において、これらピン孔にピンを通すことによって、上下方向に接続できる構造を有している。なお、前記ピン孔とピンによる接続はごく一般的なものであるので、図示は省略する。
【００２１】
下段側に配されたベッドＢ１は、ヘッド側（頭側：図１で右側）とフット側（足側：図１で左側）にそれぞれ配される上下長が高い第１のボードである高脚ボード１、１を備えている。高脚ボード１、１は、ベッドの幅方向両端に、角柱形状の支脚１０、１１を有している。支脚１０、１１は、幕板１２で互いに平行になるように連結されている。また、幕板１２の上方には、高脚ボード１、１の補強を兼ねた所要の高さの上枠部材１３が支脚１０、１１間に渡して固定されている。
【００２２】
ヘッド側に配される高脚ボード１の両支脚１０、１１と、フット側に配される高脚ボード１の両支脚１０、１１の間には、同じ側の支脚１０、１０及び支脚１１、１１をつなぐようにしてサイドフレーム１４、１４が取り付けられている。サイドフレーム１４、１４は、前記幕板１２と同じ高さ位置に取り付けられており、支脚１０、１０及び支脚１１、１１に対し着脱自在である。なお、サイドフレーム１４は、幕板１２と高さが違っていてもよい。
【００２３】
また、サイドフレーム１４、１４の着脱構造は、サイドフレーム１４、１４の長手方向両端に取り付けられた金属製のフック板を支脚１０、１０及び支脚１１、１１の相対向する面に形成された掛止溝に掛止する構造であるが、この構造はごく一般的な構造であるので、図示及び詳しい説明は省略する。
【００２４】
サイドフレーム１４、１４は、支脚１０、１０間及び支脚１１、１１間に取り付けた状態において、サイドフレーム１４、１４の外端面１４０（図２参照）は、高脚ボード１、１の幅方向両端の支脚１０、１１の外端面１００と面一か、又はその近傍位置にあるように設定されており、本実施の形態では、面一となっている。
【００２５】
サイドフレーム１４、１４には、手摺り１５、１５が着脱自在に取り付けられている。手摺り１５は、所要間隔をおいて平行に設けられた上板１５０と下板１５１を有し、上板１５０と下板１５１は所要数の連結部材１５２で連結されている。手摺り１５は、上板１５０と下板１５１が支脚１０、１０間及び支脚１１、１１間より長く形成されている。
【００２６】
手摺り１５は、図２に示すように下板１５１が複数箇所で取付具１５９（本実施の形態では、Ｌ板金具とボルト（いずれも符号省略）で構成されている）を介してサイドフレーム１４の上面１４２（図１、図２参照）及び支脚１０、１１の内側の側面１０１（図１、図２参照）に着脱自在に取り付けられている。
【００２７】
そして、サイドフレーム１４を支脚１０、１０間及び支脚１１、１１間に取り付けた状態では、手摺り１５の上板１５０と下板１５１の内端面１５３は、支脚１０、１１の外端面１００（又はサイドフレーム１４の外端面１４０）と面一か、又はその近傍位置にあるように設定されており、本実施の形態では、面一となっている。
【００２８】
なお、手摺り１５は、前記のようにサイドフレーム１４と支脚１０、１１に対して取り付ける構造に限定するものではなく、例えば固定手段でサイドフレーム１４に対してのみ、又は支脚１０、１１に対してのみ、取り付ける構造としてもよい。
【００２９】
また、手摺り１５については、主に使用者が高所から落下しないように設けるものであり、下段側に配されるベッドＢ１では必ずしも設ける必要はなく、少なくとも後述する上段側に配されるベッドＢ２に設けてあればよい。
【００３０】
両サイドフレーム１４、１４間には、簀の子形状に形成された二台の床部材１６、１６が装着されている。床部材１６、１６は、サイドフレーム１４、１４の内面側に固定された受桟１４１に載置されており、床部材１６、１６の上面１６０は、サイドフレーム１４、１４の上面１４２よりやや低くなるように設定してある。これにより、上面１６０と上面１４２の境目には、段差１４３が形成されている。
【００３１】
なお、床部材１６、１６の上面１６０とサイドフレーム１４、１４の上面１４２の高さは同じでもよいし、前記とは逆に上面１６０が上面１４２より高く形成されて段差（図示省略）が設けられていてもよい。
【００３２】
ベッドＢ１の両サイドフレーム１４、１４の上面１４２と後述する上段側のベッドＢ２の両サイドフレーム１４、１４の上面１４２の支脚１０、１１下端からの高さと、ベッドＢ１の床部材１６、１６の上面１６０と後述する上段側のベッドＢ２の床部材１６、１６の上面１６０の支脚１０、１１下端からの高さは、それぞれ同じ高さになるように設定されている。
【００３３】
上段側のベッドＢ２は、ヘッド側とフット側にそれぞれ配される上下長が前記ベッドＢ１の高脚ボード１、１より低い第２のボードである低脚ボード１ａ、１ａを備えている。低脚ボード１ａ、１ａは、ベッドの幅方向両端に、前記ベッドＢ１の支脚１０、１１より短い角柱形状の支脚１０ａ、１１ａを有している。支脚１０ａ、１１ａは、幕板１２ａで互いに平行になるように連結されている。また、幕板１２ａの上方には、低脚ボード１ａ、１ａの補強を兼ねた所要の高さの上枠部材１３ａが支脚１０ａ、１１ａ間に渡して固定されている。
【００３４】
上段側のベッドＢ２の構造は、前記低脚ボード１ａ、１ａの構造が前記ベッドＢ１の高脚ボード１、１と異なるだけで、他の部分は同様の構造を有しているので、他の部分に関する詳しい説明は省略する。なお、図１乃至図５においては、ベッドＢ２の前記ベッドＢ１と同等箇所に、同一の符号を付して示している。
【００３５】
なお、二段ベッドに組まれたシステムベッドＡは、上段側に配されるベッドＢ２に二台の低脚ボード１ａ、１ａを使用するようにし、下段側に配されるベッドＢ１に二台の高脚ボード１、１を使用するようにして、上下に位置する両ベッドＢ１、Ｂ２の床部材１６の間を所要の比較的広い間隔で空けることができるようにしてある。
【００３６】
また、本実施の形態ではベッドＢ１、Ｂ２のヘッド側とフット側の各ボードは、互いに高さの異なる高脚ボード１と低脚ボード１ａを使用したが、ヘッド側とフット側で高さの同じボードを使用することもできる。この場合は、上段側のベッドと下段側のベッドを分離するだけで同じ形状のベッドとなるので、前記ベッドＢ３を形成するのと相違して、各ボード１、１ａを組み替える手間がかからない。
【００３７】
<シングルベッド又はツインベッドとしての仕様>
図３乃至図５に示すように、ベッドを分離して、それぞれをシングルベッド又はツインベッドとしたシステムベッドＡでは、前記ベッドＢ１、Ｂ２とは構成が異なるベッドＢ３、Ｂ３を形成して使用する。
【００３８】
前記ベッドＢ３、Ｂ３は、それぞれヘッド側（図３で右側）に高脚ボード１を使用し、フット側（図３で左側）に低脚ボード１ａを使用している。ベッドＢ３の前記ベッドＢ１、Ｂ２と異なる所は高脚ボード１と低脚ボード１ａの配置のみであるので、その他の部分については、説明を省略する。
【００３９】
なお、システムベッドＡを二台のベッドＢ３、Ｂ３として、それぞれをシングルベッドとして、あるいは両ベッドＢ３、Ｂ３を前記ツインベッドとして使用するときは、手摺り１５を取り外した状態（図３参照）にして、床部材１６の上にマットレス１７を載せて使用することができる。
【００４０】
マットレス１７は、所要の厚さを有し、縦方向の長さは幕板１２、１２の間隔と同じか略同じ長さに形成され、横方向の幅は、ベッドの幅方向両端にある両サイドフレーム１４の外端面１４０間の間隔と同じか略同じ幅又は両手摺り１５の内端面１５３間の間隔と同じか略同じ幅に形成されている（図４、図５参照）。また、マットレスの厚さは、例えば二段ベッドの上段側のベッドＢ２でも使用できるように、図４に示したものより薄いものを採用することもできる。
【００４１】
（作用）
図１乃至図５を参照してシステムベッドＡの作用を説明する。
システムベッドＡは、両サイドフレーム１４、１４の外端面１４０が、各高脚ボード１、１及び低脚ボード１ａ、１ａの幅方向両端の支脚１０、１１の外端面１００と面一か、又はその近傍位置にある。
【００４２】
これにより、ベッドＢ３、Ｂ３を横に並べてツインベッドとして使用するときに、サイドフレーム１４、１４同士が接触、又は近接するので、両ベッドＢ３、Ｂ３の間に隙間がないように、又は隙間をきわめて小さくすることができる。なお、ベッドＢ３、Ｂ３を並べる際には、単に隣り合わせに設置するだけでもよいし、連結具を使用してベッドＢ３、Ｂ３を連結するようにしてもよい。
【００４３】
したがって、例えば床部材の上に布団（図示省略）を敷いて使用する場合、両ベッドＢ３、Ｂ３の間で布団がへこんだり、落ち込むことがないので、詰め物などをする必要もないので使いやすい。
同様に、マットレス１７を床部材１６に載せて使用する場合も、両マットレス１７の境界部分の側面１７０、１７０間に隙間を生じることはないので、従来のようにマットレス１７の間の隙間を埋める必要がなく、そのままで大きく広いキングサイズのベッドのように使用することができる。これにより、例えば子どもがまだ小さいときなどに両親の間に子どもを一緒に寝かせるような使用形態においても、支障なく使用することができる。
【００４４】
また、サイドフレーム１４、１４の上面１４２とサイドフレーム１４、１４の受桟１４１に載置された床部材１６の上面１６０との間に所要高さの段差１４３が設けられているので、手摺り１５を取り外して使用している状態でも、段差１４３がマットレス１７の下面に掛かることで、マットレス１７のずれが生じにくい。
【００４５】
さらに、システムベッドＡを二段ベッドとして使用する場合、上段側に配されるベッドＢ２に二台の低脚ボード１ａを使用するようにし、下段側に配されるベッドＢ１に二台の高脚ボード１を使用するようにしているので、上下に位置する両ベッドＢ１、Ｂ２の床部材１６、１６の間を所要の十分な間隔で空けることができるので、特に下段側のベッドＢ１を使用する使用者は十分な空間が利用できるため、使いやすい。
【００４６】
また、ベッドＢ３をシングルベッドとして使用するとき、或いはツインベッドとして使用するときには、ヘッド側のボードに上下長が高い高脚ボード１を使用し、フット側のボードに上下長が低い低脚ボード１ａを使用してベッドの一般的な形状に形成することで、例えばボードが低く邪魔にならないフット側からベッドに乗ることができるなど、両ベッドＢ３が使いやすくなる。
【００４７】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００４８】
Ａ  システムベッド
Ｂ１  ベッド
Ｂ２  ベッド
Ｂ３  ベッド
１  高脚ボード
１ａ  低脚ボード
１０、１１  支脚
１０ａ、１１ａ  支脚
１００  外端面
１０１  側面
１２  幕板
１２ａ  幕板
１３  上枠部材
１３ａ  上枠部材
１４  サイドフレーム
１４０  外端面
１４１  受桟
１４２  上面
１４３  段差
１５  手摺り
１５０  上板
１５１  下板
１５２  連結部材
１５３  内端面
１５９  取付具
１６  床部材
１６０  上面
１７  マットレス
１７０  側面
【図１】
2013013568.tif 000003
【図２】
2013013568.tif 000004
【図３】
2013013568.tif 000005
【図４】
2013013568.tif 000006
【図５】
2013013568.tif 000007